(57)【特許請求の範囲】
【請求項１】
かご本体と、起伏自在の把手からなる買い物かごに於いて、滑り止め材による、滑り止め部を把手に設けて、かご本体側に有する当接部とで構成する、袋止めを特徴とする袋止め買い物かご。
【請求項２】
滑り止め材がシリコンゴム素材よりなる、滑り止め部である請求項１に記載された袋止め買い物かご。
【請求項３】
滑り止め部と当接部とで構成する、袋止めを各箇所に配設した請求項１または２に記載の袋止め買い物かご。
【発明の詳細な説明】
【技術分野】
【０００１】  本発明はスーパーマーケットなどで使用されている買い物かごに関する。
【背景技術】
【０００２】  スーパーマーケットなどで使用されている買い物かごは、入店時から精算が済み、商品を収納物に収納し完了するまで持ち廻るものである。そうしたなかで、惣菜や生鮮食料品を入れるビニール袋とかポリエチレン袋、あるいは、レジカウンターで貰い受けるレジ袋のような樹脂袋は、使用前に袋の口開けが必要であり、水を含んだスポンジ及びタオルなどの備品を使用して、指先を湿らせてから袋の口開けをすることがある。【０００３】  そして、精算済みの買い求めた商品を買い物かごから取り出して、レジ袋若しくは持参収納物に移し替えをするときに、レジ袋の場合は、袋が不安定であり商品の収納がしづらく、袋の片側を、手で支え持たなければ収納することができないため不便なものである。しかし、その反面でレジ袋は、持参の必要がなく一旦商品を収納してしまうと、嵩張らずに極めて軽く柔軟な性質であり、使い勝手が良いことから今現在も多くのレジ袋が使用されている。【０００４】  その一方で、環境保護や省資源化に考慮しつつ、持参する収納物を選択するとき、素材の違いはあっても嵩張らずに安価で、比較的レジ袋に近いシンプルな形状と軽くて柔軟な性質であるところの、買い物袋が、携帯し易いこともあり好まれて持参に至るが、商品を収納する際に柔軟で不安定なものは、やはり、手で支え持たなければならない。
【発明の開示】
【発明が解決しようとする課題】
【０００５】  加えて、このような収納袋は、片手で支え持っても形崩れを起こし、袋口が塞がり商品の収納を妨げることがあり、その度に形崩れの修正が必要となり面倒である。さらに、支え持つ手を離すと収納した商品が、収納袋ごと倒れてしまい商品を破損させる惧れがあるため、不用意に手を離せないので神経を要する作業である。【０００６】  そして、使用前樹脂袋の口開けでは、水を含んだスポンジ及びタオルなどの備品を使用したいときに、必ず傍にあるとは限らず舌で指先を湿らせることもあり、また、指先を湿らせても重なり合う袋口が開けにくいときなどは、煩わしいものである。【０００７】  この発明は上記問題に着目してなされたもので、使用前樹脂袋の口開けを容易なものにし、また、商品を収納する際に不安定な収納袋を支え持つ手に変わり、同じ役目を果たすことのできる袋止め買い物かごを提供する。
【課題を解決するための手段】
【０００８】  上記課題を解決するために本発明は、下記の手段を講じた。請求項１記載の袋止め買い物かごでは、かご本体１と起伏自在の把手２、２からなる買い物かごに於いて、滑り止め材による、滑り止め部３を把手２に設けて、かご本体１側に有する当接部４とで構成する袋止めを特徴とする。【０００９】  請求項２の発明では、滑り止め材がシリコンゴムを素材とした、滑り止め部３である。【００１０】  請求項３の発明では、滑り止め部３と当接部４とで構成する、袋止めを各箇所に配設した。
【作用】
【００１１】  この発明の袋止め買い物かごを使用するとき、袋止めは、起伏自在の把手２を伏せると把手２に設けた滑り止め部３が、かご本体１側の当接部４に接触するもので、把手２を伏せる過程で滑り止め部３と当接部４との間に、収納袋を挟み止め安定させることができるものである。この袋止めにより、精算が済み作業台の上に置いた袋止め買い物かご傍で、袋止めの高さに収納袋５の外側面を合せて、袋止めの上から被せ袋口端部６を余し、把手２に沿って滑り止め部３を巻き込むようにして折り返し、収納袋５外側面の一部を当接部４との間に挟み止め挟持する。このように挟持した収納袋５は、把手２の自重と滑り止め部３の摩擦抵抗により、袋の片側が支えられて安定し手を離しても倒れることはなく商品を入れると、荷重が把手２から滑り止め部３と当接部４に掛かり、より力強く挟持することになり収納袋５の安定が保持されるものである。そして、商品の収納が完了したところで、挟持する前に余した袋口端部６を引き抜くと、折り返して挟持した収納袋５外側面の一部は、滑り止め部３の摩擦抵抗を受けることなく袋止めから離れるものである。
【００１２】  請求項２の発明に係る袋止め買い物かごでは、滑り止め部３がシリコンゴム素材で形成されているので粘着力があり、この滑り止め部３に、使用前樹脂袋の重なり合う袋口を軽く当て擦ることで、滑り止め部３と接した袋口面は、摩擦抵抗を受け動きが制止され、滑り止め部３に接しない方の袋口面は、擦ると同時にその方向へずれ剥れるため、袋の口開けが容易にできるものである。
【００１３】  請求項３の発明に係る袋止め買い物かごでは、袋止めを配設することにより、各箇所に各々の収納袋５を同時に挟持して安定させられるものである。
【発明の効果】
【００１４】  この発明に係る袋止め買い物かごによるときは、袋口端部６を余し、把手２に沿って滑り止め部３を巻き込むようにして折り返し、収納袋５外側面の一部を当接部４との間に挟み止める。こうして収納袋５の片側を挟持し安定させた袋止めは、収納袋５を支え持つ手に変わり、同じ役目を果たすことのできるものである。従って、袋止めと空いた手で収納袋５を両側で支え持ち安定させると、収納袋５の形崩れを防ぐことができるため、袋口が塞がらず、形崩れによる面倒な修正が不要になり、商品を妨げなく収納袋５に収納することができる。さらに、手を離しても収納袋５は倒れないので、安心して手を離すことができ、思い通りの収納作業をすることができるものである。また、携帯には向いているが収納作業がしづらい、柔軟で不安定な買い物袋の持参普及にも貢献するものである。
【００１５】  そして、使用前樹脂袋の口開けでは、滑り止め部３に重なり合う袋口を軽く当て、擦ると同時に袋口がずれ剥れ、袋の口開けが容易にできるものである。これにより指先を湿らせる必要がなく、袋の口開けで生じた煩わしさが解消され、なおかつ、袋の口開けを必要とするときは、傍にある袋止め買い物かごで、手軽に袋の口開けをすることができるものである。
【発明を実施するための最良の形態】
【実施例１】
【００１６】図１（ａ）は、この発明の実施例１に係る袋止め買い物かごの外観を示す斜視図、同図（ｂ）は、同実施例の状況を示す斜視図。図２（ａ）は、同実施例の袋止め説明図、同図（ｂ）は、同実施例の袋止め断面図。図３（ａ）並び同図（ｂ）は、同実施例の使用状況を示す斜視図。【００１７】  実施例１では、起伏自在の把手２に設けた滑り止め部３と、かご本体１側の当接部４とでなる袋止めの、この滑り止め部３はシリコンゴムを素材にして溝部７を形成し、把手２の孔８に溝部７を嵌合させるものである。そして、把手２、２の中央にそれぞれ滑り止め部３、３を設け、かご本体１の開口縁両側に突き出て形成する、当接部４、４とで位置する箇所に袋止めを配設した、袋止め買い物かごである。【００１８】  この袋止め買い物かごでは、把手２の起伏による状態がどの場合でも、レジカウンターで貰い受けたレジ袋などの使用前樹脂袋の重なり合った袋口を、把手２に設けた滑り止め部３に当て擦り、袋の口開けをすることができるものである。【００１９】  配設された袋止めを、一箇所のみ使用する際には、その場の状況により使い易い方の袋止めを選び使用することができる。また、買い求めた商品が一袋の収納袋５で納まらないときなどは、袋止め買い物かご両横で、各々の収納袋５、５を同時に挟持して、商品を収納することができるものであり、これにより、種類や質の異なる商品を両収納袋５、５へ即座に分け入れられるため、作業が捗り収納時間が短縮されるものである。
【実施例２】
【００２０】図４（ａ）は、この発明の実施例２に係る袋止め買い物かごの外観を示す斜視図、同図（ｂ）は、同実施例の状況を示す斜視図。図５（ａ）は、同実施例の袋止め説明図、同図（ｂ）は、同実施例の袋止め断面図。図６（ａ）並び同図（ｂ）は、同実施例の使用状況を示す斜視図。【００２１】  実施例２では、実施例１と基本的に同一で、この滑り止め部３はシリコンゴムを素材にして筒状に形成され、把手２の凹部９に嵌通させるものである。そして、把手２、２の両側にそれぞれ滑り止め部３、３、３、３を設け、かご本体１の開口縁上部に窪み１０を形成する、当接部４、４、４、４とで位置する箇所に袋止めを配設した、袋止め買い物かごである。【００２２】  この袋止め買い物かごは、店内売場で手に提げたまま把手２に設けた滑り止め部３に、惣菜や生鮮食料品を入れる使用前樹脂袋の重なり合った袋口を当て擦り、袋の口開けをすることができるものであり、かつ、各々の収納袋５、５を同時に挟持している最中でも、必要であれば別の滑り止め部３に、使用前樹脂袋の重なり合った袋口を当て擦り、袋の口開けをすることができるものである。【００２３】  また、袋止め買い物かごの同一側で、各々の収納袋５、５を同時に挟持し安定させられるので、両収納袋５、５を隣り合せにすることができ、必然的に収納動作の無駄がなくなり、より収納時間が短縮されるものである。
【図面の簡単な説明】
【００２４】
【図１】（ａ）は、この発明の実施例１に係る袋止め買い物かごの外観を示す斜視図、同図（ｂ）は、実施例１の状況を示す斜視図。
【図２】（ａ）は、実施例１の袋止め説明図、同図（ｂ）は、同実施例の袋止め断面図。
【図３】（ａ）並び同図（ｂ）は、実施例１の使用状況を示す斜視図。
【図４】（ａ）は、この発明の実施例２に係る袋止め買い物かごの外観を示す斜視図。同図（ｂ）は、実施例２の状況を示す斜視図。
【図５】（ａ）は、実施例２の袋止め説明図、同図（ｂ）は、同実施例の袋止め断面図。
【図６】（ａ）並び同図（ｂ）は、実施例２の使用状況を示す斜視図。
【符号の説明】
【００２５】    １  かご本体
２  把手
３  滑り止め部
４  当接部
５  収納袋
６  袋口端部
７  溝部
８  孔
９  凹部
１０  窪み
【図１】
0003709563.tif 000002
【図２】
0003709563.tif 000003
【図３】
0003709563.tif 000004
【図４】
0003709563.tif 000005
【図５】
0003709563.tif 000006
【図６】
0003709563.tif 000007